(57)【要約】      （修正有）【課題】貯蔵物の排出が容易で利便性の高いスクラップボックスを提供する。【解決手段】側板２、３と開閉自在な底板４とを有し上面が開口する箱状のスクラップボックス１であって、底板４は、矩形状であり、その一長辺４ｂ近傍が側板２の下辺近傍に枢支され、底板４の両短辺４ｂ近傍には、スクラップボックス１を吊り上げるための紐体４０を係脱自在に係合させる底板係合部６が設けられ、側板３には、紐体４０を係合させる側板係合部５が設けられる。これにより、紐体４０を底板係合部６及び側板係合部５の双方に係合させてスクラップボックス１を吊り上げることにより、貯蔵物を収納した状態でスクラップボックス１を運搬することができ、紐体４０を側板係合部５のみに係合させてスクラップボックス１を吊り上げることにより、スクラップボックス１の下部から貯蔵物を容易に排出することができる。【選択図】図３
0003198242.tif 000002
【実用新案登録請求の範囲】
【請求項１】
側板と開閉自在な底板とを有し上面が開口する箱状のスクラップボックスであって、
前記底板は、その一長辺近傍が前記側板の下辺近傍に枢支され、
前記底板の両短辺近傍には、前記スクラップボックスを吊り上げるための紐体を係脱自在に係合させる底板係合部が設けられ、
前記側板には、前記紐体を係合させる側板係合部が設けられることを特徴とするスクラップボックス。
【請求項２】
一端が前記側板に支持され他端が前記底板の短辺近傍に支持されて前記底板を閉方向に付勢する弾性体を有することを特徴とする請求項１に記載のスクラップボックス。
【考案の詳細な説明】
【技術分野】
【０００１】
本考案は、廃棄物等の収納及び運搬に利用されるスクラップボックスに関し、特に、底板が開閉することにより貯蔵物の排出が可能なスクラップボックスに関する。
【背景技術】
【０００２】
従来、木材や鋼材等の廃棄物を収納する容器として、上面が開放された箱形状のスクラップボックスが一般的に知られている。
【０００３】
例えば、特許文献１には、小さなワーク等を備蓄するための容器が記載されている。同文献の容器は、箱本体の底部開口部に開閉蓋が取り付けられており、該開閉蓋が開くことにより貯蔵物を下方向に移し替えることができる。また、開閉蓋の両側縁から差し出される支持リングには、紐体が結着されている。
【０００４】
同文献の容器は、紐体を介してクレーンによって吊り上げられると該開閉蓋が閉じた状態になる。また、専用の大型ストッカ若しくはその上に設けられる支持枠上に該容器を降ろすことにより、底部開口部の開閉蓋が開き、容器内の貯蔵物を大型ストッカに移すことができる。
【先行技術文献】
【特許文献】
【０００５】
【特許文献１】実開平６−７６１８４号公報（第４−６頁、図３）
【考案の概要】
【考案が解決しようとする課題】
【０００６】
しかしながら、底面が開閉しない一般的なスクラップボックスでは、輸送用の車両等にスクラップボックス内の貯蔵物を移し替える場合に、スクラップボックスを傾ける若しくは反転させて開口面を下方に向ける必要があった。その際に、貯蔵物を大きく動かし落下させることになり、貯蔵物と設置面若しくは貯蔵物同士が衝突することにより発生する騒音や、貯蔵物の散乱、舞い上がる粉塵等の問題があった。
【０００７】
また、特許文献１に開示された容器では、該容器の底部開口部の開閉蓋を開閉させるための専用の大型ストッカ若しくは支持枠を設けることが必要であり、支持枠等を設置できない不安定な場所では容器内から貯蔵物を排出することが困難であった。
【０００８】
本考案は、上記の事情に鑑みてなされたものであり、その目的とするところは貯蔵物の排出が容易で利便性の高いスクラップボックスを提供することにある。
【課題を解決するための手段】
【０００９】
本考案のスクラップボックスは、側板と開閉自在な底板とを有し上面が開口する箱状のスクラップボックスであって、底板は、その一長辺近傍が側板の下辺近傍に枢支され、底板の両短辺近傍には、スクラップボックスを吊り上げるための紐体を係脱自在に係合させる底板係合部が設けられ、側板には、紐体を係合させる側板係合部が設けられることを特徴とする。
【考案の効果】
【００１０】
本考案のスクラップボックスは、底板の一長辺近傍が側板の下辺近傍に枢支され、底板の両短辺近傍には、スクラップボックスを吊り上げるための紐体を係脱自在に係合させる底板係合部が設けられる。底板係合部に紐体を係合した状態でスクラップボックスを吊り上げることにより、底板が閉じた状態になる。これにより、貯蔵物が収納された状態のスクラップボックスを容易に吊り上げて運搬することができる。
【００１１】
また、側板には、紐体を係合させる側板係合部が設けられる。底板係合部及び側板係合部の双方に紐体を係合させることにより、スクラップボックスの傾きを抑え、スクラップボックスを安定した状態で吊り上げることができる。
【００１２】
また、底板係合部に紐体を係合せず、側板係合部のみに紐体を係合した状態でスクラップボックスを吊り上げることにより、底板が開閉自在な状態になる。これにより、貯蔵物及び底板に作用する重力によって底板が開き、スクラップボックスの下部から貯蔵物を容易に排出することができる。そのため、排出時の貯蔵物の動きや落下する高さを抑えることができ、騒音や粉塵の発生及び貯蔵物の散乱等を抑制することができる。
【００１３】
また、底板係合部及び側板係合部は、紐体を係脱自在な形状である。これにより、底板係合部及び側板係合部への紐体の取り付け及び取り外しを容易に行うことができ、スクラップボックスの運搬及び排出の状態を容易に切り替えることができる。
【００１４】
また、スクラップボックスは、一端が側板に支持され他端が底板の短辺近傍に支持されて底板を閉方向に付勢する弾性体を有する。これにより、貯蔵物を排出した後の状態、即ちスクラップボックスを吊り上げてスクラップボックス内に貯蔵物が無くなった状態で、底板は、弾性体に引き上げられて傾いた状態になる。この状態でスクラップボックスを床等の設置面に置くことによって、底板が設置面に接触して閉方向に押圧され、スクラップボックスの底板を容易に閉じることができる。
【図面の簡単な説明】
【００１５】
【図１】本考案の実施形態に係るスクラップボックスの（Ａ）正面図、（Ｂ）底面図である。
【図２】本考案の実施形態に係るスクラップボックスの側面図である。
【図３】本考案の実施形態に係るスクラップボックスの吊り上げ時の側面図である。
【図４】本考案の実施形態に係るスクラップボックスの（Ａ）設置時、（Ｂ）吊り上げ時の側面図である。
【図５】本考案の実施形態に係るスクラップボックスの（Ａ）吊り上げ時、（Ｂ）下降工程時の側面図である。
【考案を実施するための形態】
【００１６】
以下、本考案の実施形態に係るスクラップボックスを図面に基づき詳細に説明する。
図１（Ａ）は、本考案の実施形態に係るスクラップボックス１の正面図であり、図１（Ｂ）は、同底面図である。
【００１７】
図１（Ａ）及び（Ｂ）に示すように、スクラップボックス１は、上面が開口する略箱状の形態を成し、該箱状体の周囲壁（側面）を構成する側板２、３と、底面を構成する一対の底板４と、を有する。側板２、３及び底板４は、例えば、鋼板等から形成され、側板２、３は、溶接によって接合される。また、側板２、３及び底板４の縁部等には、補強部材としての形鋼等が溶接されても良い。
【００１８】
一対の底板４は、ヒンジ８によって夫々の一方の長辺４ａが側板２の下辺２ｂに回動自在に支持される。つまり、スクラップボックス１の底面、即ち底板４は、両開き状（観音開き状）に下方向に開閉自在である。
【００１９】
底板４の短辺４ｂ側となるスクラップボックス１の両側面には、スクラップボックス１を吊り上げるための紐体４０（図３参照）を係合させるための側板係合部５と、底板係合部６と、が形成される。
【００２０】
具体的には、側板係合部５は、丸棒等の鋼材から曲折成形され、短辺４ｂ側の側板３の上下方向の中央近傍若しくは中央よりも上方に溶接等によって固定される。また、底板係合部６は、鋼材等から曲折成形され、底板４の短辺４ｂ近傍、詳しくは、後述する補強棒１３の端部近傍に溶接等によって固定される。
【００２１】
側板係合部５及び底板係合部６は、下方に開口する略鉤状の形態を有する。これにより、紐体４０の係脱が容易になり、スクラップボックス１の貯蔵物の運搬及び排出の状態を容易に切り替えることができる。
【００２２】
なお、側板係合部５及び底板係合部６には、その開口部を塞ぐ開閉自在な外れ防止装置を設けても良い。または、略鉤状の形態を成す側板係合部５及び底板係合部６の先端部に、該先端部から側板３に沿って水平方向外側に延びる延設部を設けても良い。これにより、紐体４０の容易な係脱を可能としつつ、吊り上げ時の紐体４０の外れを防止して安全性を高めることができる。また、紐体４０の外れを防止するために、側板係合部５及び底板係合部６に、略環状の形態を採用しても良い。
【００２３】
スクラップボックス１の上部の４隅近傍、即ち側板２の上辺２ａの端部近傍には、略棒状の形状を有し上方に突き出す、例えば、鋼棒等から形成されるガイド棒２１が溶接等によって取り付けられる。ガイド棒２１は、スクラップボックス１を段積みする場合に、上下のスクラップボックス１の位置決めをするための部材である。
【００２４】
スクラップボックス１の下部には、脚部７と、ガイド筒２２と、が形成される。脚部７は、スクラップボックス１を地面や床等の設置面Ｇ（図４（Ａ）参照）に置く際、スクラップボックス１を支持する部材である。脚部７は、例えば、下方に開口する略コ字状の形態を有する形鋼等であり、底板４に溶接等によって固定される。脚部７を設けることによって設置面Ｇとスクラップボックス１との間に空間が形成されるので、該空間にフォークリフト等の爪を差し込むことができ、スクラップボックス１の移動が容易になる。
【００２５】
また、脚部７は、夫々の底板４に対して形成されている。即ち、一方の底板４に固定される脚部７と、他方の底板４に固定される脚部７とは、分離している。これにより、スクラップボックス１の設置を安定させつつ、底板４の開閉を可能としている。
【００２６】
ガイド筒２２は、スクラップボックス１を段積みする場合、下方に配置される他のスクラップボックス１の上部に設けられるガイド棒２１と係合し、スクラップボックス１の位置決めを容易にするための部材である。
【００２７】
ガイド筒２２は、スクラップボックス１の底面の４隅近傍、即ち底板４の長辺４ａの端部近傍、平面視でガイド棒２１に対応する位置に形成され、略筒状の形状を有する。具体的には、ガイド筒２２は、例えば、鋼管等であり、その中心軸を略鉛直にして、底板４に溶接等によって接合される。また、ガイド筒２２の下部は、ガイド棒２１の挿通を容易にすべく、拡径されている。
【００２８】
なお、ガイド筒２２を形成せず、スクラップボックス１の底面の４隅近傍の底板４に貫通孔を設けても良い。これにより、ガイド筒２２と同様に位置決めの機能を確保しつつ、スクラップボックス１内に溜まる雨水等の排出を容易に行うことができる。また、ガイド筒２２及びガイド棒２１の夫々の個数及び位置は、上記の例に限定されるものではない。
【００２９】
補強棒１３は、底板４を補強するための強度部材であり、夫々の底板４について、ヒンジ８の反対側、即ちスクラップボックス１の中央側となる長辺４ｃ近傍に、長辺４ｃ方向に沿って取り付けられる。補強棒１３は、例えば、鋼棒等であり、溶接等によって底板４に固定される。補強棒１３を設けることにより、剛性が低くなる傾向にある底板４の長辺４ｃ近傍が補強され、貯蔵物の重力による荷重によってスクラップボックス１の底面の中央付近の底板４が歪んでしまうことを抑えることができる。
【００３０】
図２は、スクラップボックス１の側面図である。図２に示すように、底板係合部６は、夫々の底板４の短辺４ｂ近傍であって、スクラップボックス１の中央側、即ち長辺４ｃ近傍に設けられる。底板係合部６が、回動の支点となるヒンジ８から離れた位置に形成されることにより、底板係合部６に紐体４０（図３参照）を係合させてスクラップボックス１を吊り上げる際、底板４を閉じる方向のモーメントを大きく確保して、底板４の閉状態を維持することができる。これにより、安定して貯蔵物を運ぶことができる。
【００３１】
側板係合部５は、底板４の短辺４ｂ側となるスクラップボックス１の両側面を構成する側板３に夫々一対設けられる。ここで、側板係合部５は、底板係合部６よりも水平方向外側に形成される。これにより、スクラップボックス１を吊り上げる場合に、スクラップボックス１を支える支点間の距離を大きく確保することがき、スクラップボックス１を安定させることができる。
【００３２】
底板４の短辺４ｂ側となるスクラップボックス１の両側面には、側板３側の支点１１と、底板４側の支点１２と、に支持されて底板４を閉方向に付勢する弾性体１０が設けられる。弾性体１０は、例えば、金属製のばね等であり支点１１及び支点１２から係脱可能に構成される。これにより、弾性体１０は、その交換が容易である。
【００３３】
底板４側の支点１２は、底板４の短辺４ｂ近傍であって、スクラップボックス１の中央側、即ち長辺４ｃ近傍に形成される。回動の支点となるヒンジ８から離れた位置に支点１２が形成されることにより、弾性体１０の付勢力が小さくても、底板４に閉方向の大きなモーメントを作用させることができる。
【００３４】
側板３側の支点１１は、底板４側の支点１２に対して水平方向外側で、底板４が開ききった状態の弾性体１０の長さが、底板４が閉じた状態の弾性体１０の長さの略２倍になる位置に形成される。これにより、弾性体１０による閉方向の付勢力を有効に発揮させつつ、弾性体１０のへたりを抑制して、弾性体１０の寿命を長く確保することができる。
【００３５】
図３は、スクラップボックス１の側面図であり、特に、貯蔵物を内部に収納した状態でスクラップボックス１を吊り上げて移動させる場合を示している。
図３に示すように、貯蔵物を収納した状態でスクラップボックス１を吊り上げるためには、スクラップボックス１が地面等の設置面Ｇに置かれた状態で、紐体４０を側板係合部５と底板係合部６とに係合させる。
【００３６】
紐体４０は、例えば、ワイヤー等であり、その上部は、クレーン等に接続される。この状態で、紐体４０を引き上げてスクラップボックス１を吊り上げることにより、底板係合部６に上方向の引張力が作用し、底板４が閉じた状態で固定される。これにより、貯蔵物が収納された状態のスクラップボックス１を運搬することができる。
【００３７】
また、底板係合部６及び側板係合部５の双方に紐体４０を係合させることにより、底板係合部６のみに紐体４０を係合させる場合と比べて、吊り上げ時のスクラップボックス１の安定性を高めることができる。
【００３８】
紐体４０を側板係合部５及び底板係合部６に係合してスクラップボックス１を吊り上げた状態で、スクラップボックス１を貯蔵物が排出される設置面Ｇ（例えば、トラックの荷台等）まで移動させる。
【００３９】
図４（Ａ）は、スクラップボックス１の設置時の側面図であり、図４（Ｂ）は、同吊り上げ時の側面図である。図４（Ａ）及び（Ｂ）は、スクラップボックス１内の貯蔵物を排出する場合を示している。
【００４０】
図４（Ａ）に示すように、貯蔵物の排出を行う場合、紐体４０を底板係合部６に係合させず、側板係合部５のみに係合させる。詳述すると、先ず、図３に示すように、側板係合部５及び底板係合部６の双方に紐体４０を係合させてスクラップボックス１を吊り上げて貯蔵物が排出される設置面Ｇまで移動して、設置面Ｇに載置する。そして、図４（Ａ）に示すように、底板係合部６から紐体４０を外し、側板係合部５については紐体４０を取り外さずに残す。
【００４１】
この状態で紐体４０を上方に引き上げてスクラップボックス１を吊り上げると、図４（Ｂ）に示すように、貯蔵物及び底板４に作用する重力で底板４が下方に押されて開き、貯蔵物が下方に排出される。
【００４２】
これにより、貯蔵物を大きく動かすことなくスクラップボックス１の下部から排出することができ、また、貯蔵物が落下する高さを低く抑えることができる。そのため、貯蔵物と設置面Ｇ、または貯蔵物同士が衝突することにより発生する騒音や舞い上がる粉塵等を抑制することができる。また、排出の際、貯蔵物が周囲に散乱することを抑えることができる。
【００４３】
また、底板４は、一対設けられ、スクラップボックス１の底面の略中央から両開き状に開放されるので、貯蔵物は、スクラップボックス１の略中央から排出され、排出時に底板４に作用する開方向の力、即ち貯蔵部の重力が底板４に略均等に作用する。これにより、排出時の貯蔵物の偏りを抑制し、偏心荷重に起因するスクラップボックス１の傾きを抑制することができる。その結果、貯蔵物を安全に排出することができる。
【００４４】
また、底板４は、略鉛直になるまで開くことができる。これにより、貯蔵物の排出が底板４によって阻害されず、貯蔵物をスクラップボックス１内に残すことなく効率的に排出することができる。
【００４５】
また、底板４は、その長辺４ａ（図１参照）がヒンジ８を介して側板２に支持される。ここで、底板４を略鉛直になるまで開くために必要な側板３の下辺３ｂ（若しくは側板２の下辺２ｂ）と設置面Ｇとの最小距離は、底板４の短辺４ｂの長さに略等しい。そのため、底板４の短辺４ｂではなく長辺４ａを枢支することにより、底板４を全開にするために必要な吊り上げ高さを低く抑えることができ、貯蔵物を排出する際の騒音や粉塵等を抑制することができる。
【００４６】
なお、一枚の底板４によってスクラップボックス１の底面を構成し、底板４を片開き状に開閉させることも可能である。その場合、構成部品数を減らすことができるという利点を有する。
【００４７】
しかしながら、本実施形態のように一対の底板４を用いて両開き状の底面を構成することは、底板４を略鉛直に全開するための吊り上げ高さを低く抑えることができるので、前述のように貯蔵物を排出する際の騒音や粉塵時を抑制する観点から有利である。また、底板４を両開き状に構成することは、弾性体１０の長さや伸び率を小さく設定することが可能となるので、弾性体１０の耐久性を高める観点からも望ましい。
【００４８】
図５（Ａ）は、スクラップボックス１の吊り上げ時の側面図であり、図５（Ｂ）は、同下降工程時の側面図である。図５（Ａ）及び（Ｂ）は、スクラップボックス１の底板４を閉じる場合を示している。
【００４９】
図５（Ａ）に示すように、側板係合部５に紐体４０を係合してスクラップボックス１を吊り上げ、スクラップボックス１内に貯蔵物が排出された後、即ちスクラップボックス１内に貯蔵物が無い状態では、弾性体１０によって底板４の中央側である長辺４ｃ側が上方に引き戻され、底板４は、傾いた状態になる。
【００５０】
ここで、底板４は、完全に閉じる状態、即ち略水平な状態にまで、弾性体１０によって引き戻される必要はない。底板４は、略鉛直な状態から僅かに傾けば良い。水平面、即ち側板３の下辺３ｂに対する底板４の傾き角度Ａとしては、好ましくは、１０度から８０度、更に好ましくは、２０度から７０度が良い。例えば、本実施形態では、底板４の傾き角度Ａが約３０度になるように弾性体１０の仕様を設定している。
【００５１】
底板４の傾き角度Ａが大き過ぎると、次に述べる設置面Ｇを利用する底板４の閉動作が困難になる。他方、傾き角度Ａが小さ過ぎると、付勢力の大きな弾性体１０を採用していることになり、弾性体１０が大型化してコストが増大すると共に、弾性体１０の取り付けが困難になり、また、底板４の開度が不十分となって貯蔵物の排出が阻害される恐れがある。
【００５２】
図５（Ｂ）に示すように、スクラップボックス１を降ろしていくと、夫々の脚部７の中央側下部の角部７ａが略同時に設置面Ｇに接触する。これにより、底板４が設置面Ｇに押されて夫々の底板４に略均等な上方向の力が作用する。そして、スクラップボックス１を更に下降させて設置面Ｇに載置することにより、底板４を閉じることができる（図４（Ａ）に示す状態になる）。
【００５３】
ここで、角部７ａには、適度な丸み付けが施されている。これにより、角部７ａと設置面Ｇとの滑りが許容され、角部７ａが設置面Ｇと接触して引っ掛かることにより底板４の閉動作が阻害されることを抑制することができる。その結果、スクラップボックス１を設置面Ｇに置くことで、底板４を容易に閉じることができる。また、角部７ａに適度な丸み付けを施すことにより、貯蔵物を排出する際や底板１３を閉じる際に、設置面Ｇに傷が付くことを抑えることができる。
【００５４】
以上説明の如く、本実施形態に係るスクラップボックス１によれば、紐体４０の係脱により貯蔵物の運搬及び排出を容易に切り替えることができる。即ち、紐体４０を底板係合部６及び側板係合部５の双方に係合させてスクラップボックス１を吊り上げることにより、貯蔵物を収納した状態でスクラップボックス１を運搬することができる。
【００５５】
他方、紐体４０を側板係合部５のみに係合させてスクラップボックス１を吊り上げることにより、スクラップボックス１の下部から貯蔵物を容易に排出することができる。このように、スクラップボックス１の利便性を高めることができる。
【００５６】
なお、本考案は、上記の実施形態に限定されるものではなく、その他、本考案の要旨を逸脱しない範囲で、種々の変更実施が可能である。
【符号の説明】
【００５７】
１      スクラップボックス
２      側板
２ｂ    下辺
３      側板
３ｂ    下辺
４      底板
４ａ    長辺
４ｂ    短辺
４ｃ    長辺
５      側板係合部
６      底板係合部
７      脚部
８      ヒンジ
１０    弾性体
１１    支点
１２    支点
１３    補強棒
２１    ガイド棒
２２    ガイド筒
【図１】
0003198242.tif 000003
【図２】
0003198242.tif 000004
【図３】
0003198242.tif 000005
【図４】
0003198242.tif 000006
【図５】
0003198242.tif 000007
【手続補正書】
【提出日】平成27年4月15日(2015.4.15)
【手続補正１】
【補正対象書類名】実用新案登録請求の範囲
【補正対象項目名】請求項１
【補正方法】変更
【補正の内容】
【請求項１】
側板と開閉自在な底板とを有し上面が開口する箱状のスクラップボックスであって、
前記底板は、矩形状であり、その一長辺近傍が前記側板の下辺近傍に枢支され、
前記底板の両短辺近傍には、前記スクラップボックスを吊り上げるための紐体を係脱自在に係合させる底板係合部が設けられ、
前記側板には、前記紐体を係合させる側板係合部が設けられることを特徴とするスクラップボックス。